(57)【特許請求の範囲】
【請求項１】
遊技島枠などに固定される台間機ホルダと、
台間機本体とを有し、
前記台間機本体は、前記台間機ホルダに固定されている第１ユニットと、当該台間機ホルダに対して前方から着脱可能な状態で差し込み固定されている第２ユニットとを備え、前記第１ユニットには台間機制御器および台間機電源ユニットが搭載されており、
前記台間機制御器から外部通信用ケーブルが引き出されており、
前記台間機ホルダは、前記第１ユニットの前記台間機制御器に電気的に接続されたホルダ側コネクタを備え、このホルダ側コネクタは前方を向いており、
前記第２ユニットは、後方を向くユニット側コネクタを備えており、
前記第２ユニットを前記台間機ホルダに差し込むと、前記ユニット側コネクタが前記ホルダ側コネクタに差し込み固定された状態が形成され、
前記第２ユニットには、紙幣処理機、硬貨処理機、カード状記憶媒体処理機、コイン状記憶媒体処理機のうちの少なくとも一つの処理機が搭載されており、
前記第１ユニットの内部において、前記台間機電源ユニットから前記台間機制御器への給電用のケーブルが配置されており、
前記第１ユニットは前記台間機ホルダの下半部分に、上方に移動可能な状態で固定されており、
前記第２ユニットは前記台間機ホルダの上半部分に、前後方向にスライド可能な状態で差し込み固定されており、
前記第１ユニットは、前記第２ユニットによって上方に移動不可の状態に保持されており、
前記第２ユニットはロック機構により前記台間機ホルダから引き抜き不可の状態に保持されており、
前記第１ユニットは、上方に移動すると前記台間機ホルダに対する固定状態が解除可能となっている遊技台用台間機。
【請求項２】
請求項１において、
前記第２ユニットが前記台間機ホルダに差し込み固定され、前記ロック機構により前記第２ユニットが前記台間機ホルダから引き抜き不可の状態になると、前記第１ユニットが前記台間機ホルダに対する固定状態になると共に、前記第１ユニットと前記第２ユニットが電気的に接続状態になる遊技台用台間機。
【発明の詳細な説明】
【技術分野】
【０００１】
本発明は、パチンコ玉などの遊技媒体の貸し出しを行う遊技台用台間機に関するものである。さらに詳しくは、遊技島取付枠に固定された台間機ホルダに台間機本体を差し込むことにより、台間機ホルダ側の通信用のコネクタに台間機本体側の通信用のコネクタが差し込み固定された状態が形成される遊技台用台間機の改良に関するものである。
【背景技術】
【０００２】
パチンコ台などの遊技台の間には、紙幣、硬貨、磁気カード、ＩＣカード等によりパチンコ玉などの遊技媒体を貸し出す遊技台用台間機(本明細書においては、単に「台間機」という場合もある。)が設置されている。台間機は、遊技島を構成している遊技島取付枠に取り付けられた遊技台に隣接配置されている。
【０００３】
台間機の紙幣識別機、硬貨識別機などは、紙幣、硬貨の搬送機構、選別機構などの機械的な駆動部分を備えており、紙幣詰まり、硬貨詰まり等に対処できるように、簡単な操作によって取り外せることが望ましい。このような観点から、台間機は、一般に、遊技島取付枠に固定された台間機ホルダと、ここに前側から着脱可能な状態で差込固定された台間機本体から構成され、ロック機構を解除することにより、台間機電源ユニットが取り付けられている台間機ホルダの側から、台間機本体を簡単に外せるようになっている。
【０００４】
この構造の台間機では、台間機ホルダの側に通信用の中継器が取り付けられており、台間機本体を台間機ホルダに差し込み固定した後に、台間機本体と台間機ホルダ側の中継器との配線接続作業が行われる。これにより、台間機本体に搭載されている台間機制御器と外部との間の通信が可能になり、また、台間機ホルダ側の台間機電源ユニットから台間機本体側への給電が可能になる。
【０００５】
かかる配線接続作業を簡単に行うための機構として、台間機本体を台間機ホルダに差し込むと、台間機ホルダの中継器側のコネクタに台間機本体側のコネクタが自動的に差し込まれて配線接続状態が形成される機構(以下、「プラグイン方式のコネクタ接続機構」と呼ぶ。)が知られている。特許文献１、２には、このような機構を備えた台間機が開示されている。
【特許文献１】特開２００２−１１２３８号公報
【特許文献２】特開２００５−３４２２３６号公報
【発明の開示】
【発明が解決しようとする課題】
【０００６】
ここで、このような構造の中継器は、外部に引き出される通信ケーブル接続部、台間機本体側のコネクタに接続されるコネクタ、台間機電源ユニットからの給電用ケーブルの接続部などの各種の各接続用部品が必要である。したがって、部品点数が多く、これらを搭載するための中継基板として大きな寸法のものを用いる必要がある。
【０００７】
また、中継器の寸法が大きいと、台間機ホルダおよび台間機本体の製造誤差、コネクタの取り付け位置の誤差、遊技島取付枠に対する台間機ホルダの取り付け位置の誤差などが原因となって、プラグイン方式のコネクタの間に、大きな位置ずれが生ずる可能性がある。そこで、一方のコネクタを差し込み方向に直交する方向にスライド可能としておき、双方のコネクタの位置合わせを行うなどの対策が必要である。このようなスライド機構を設けると、中継器の寸法が更に大きくなり、その部品点数も増加してしまう。
【０００８】
本発明の課題は、このような点に鑑みて、外部通信用の大型の中継器を配置することなく、メンテナンスなどの作業を簡単に行うことができる遊技台用台間機を提案することにある。
【課題を解決するための手段】
【０００９】
上記の課題を解決するために、本発明の遊技台用台間機は、
台間機ホルダと、
台間機本体とを有し、
前記台間機本体は、前記台間機ホルダに固定されている第１ユニットと、当該台間機ホルダに対して前方から着脱可能な状態で差し込み固定されている第２ユニットとを備え、前記第１ユニットには台間機制御器および台間機電源ユニットが搭載されており、
前記台間機制御器から外部通信用ケーブルが引き出されており、
前記台間機ホルダは、前記第１ユニットの前記台間機制御器に電気的に接続されたホルダ側コネクタを備え、このホルダ側コネクタは前方を向いており、
前記第２ユニットは、後方を向くユニット側コネクタを備え、
前記第２ユニットを前記台間機ホルダに差し込むと、前記ユニット側コネクタが前記ホルダ側コネクタに差し込み固定された状態が形成され、
前記第２ユニットには、紙幣処理機、硬貨処理機、カード状記憶媒体処理機、コイン状記憶媒体処理機のうちの少なくとも一つの処理機が搭載されており、
前記第１ユニットの内部において、前記台間機電源ユニットから前記台間機制御器への給電用のケーブルが配置されており、
前記第１ユニットは前記台間機ホルダの下半部分に、上方に移動可能な状態で固定されており、
前記第２ユニットは前記台間機ホルダの上半部分に、前後方向にスライド可能な状態で差し込み固定されており、
前記第１ユニットは、前記第２ユニットによって上方に移動不可の状態に保持されており、
前記第２ユニットはロック機構により前記台間機ホルダから引き抜き不可の状態に保持されており、
前記第１ユニットは、上方に移動すると前記台間機ホルダに対する固定状態が解除可能となっていることを特徴としている。
【００１０】
本発明の遊技台用台間機では、台間機制御器および台間機電源ユニットが搭載されている第１ユニットが台間機ホルダに固定され、これ以外の部分が搭載されている第２ユニットのみが着脱可能な状態で台間機ホルダに取り付けられている。また、固定側の第１ユニットの台間機制御器と第２ユニットの間の電気的な接続は、プラグイン方式のコネクタ接続機構によって形成される。さらに、台間機制御器は固定されているので、そこから直接に外部通信用のケーブルを引き出すことができる。
【００１１】
したがって、台間機ホルダに外部通信用の中継器を配置する必要がない。また、第１ユニットおよび第２ユニットを接続するためのプラグイン方式のコネクタ接続機構は、台間機ホルダ側のコネクタと、第２ユニット側のコネクタからなる単純な構造のものでよいので、少ない部品点数で小型にすることができる。よって、遊技台用台間機の小型化、低コスト化に有利である。
【００１２】
ここで、本発明では、前記第２ユニットには、紙幣処理機、硬貨処理機、カード状記憶媒体処理機、コイン状記憶媒体処理機のうちの少なくとも一つの処理機が搭載されている。これらの処理機は機械的な駆動部分を含んでいる。例えば、紙幣処理機は紙幣を搬送する搬送機構、識別した紙幣を仕訳する仕訳機構などが搭載されており、紙幣詰まり等が発生する可能性がある。このため、このような機械的な駆動部分を備えた紙幣処理機などの処理機を、着脱可能な第２ユニットに搭載しておけば、紙幣詰まりの回復作業、定期的な保守点検作業が簡単になる。
【００１３】
また、本発明では、前記第１ユニットの内部において、前記台間機電源ユニットから前記台間機制御器への給電用のケーブルが配置されている。
【００１４】
台間機電源ユニットのみが台間機ホルダの側に固定され、それ以外の部分が台間機本体に搭載されて着脱可能な状態で台間機ホルダに装着されている場合には、台間機電源ユニットからの給電用のケーブルを、台間機ホルダに取り付けた中継器に接続しておき、ここを経由して、台間機本体側に給電する必要がある。このため、給電用のケーブルが台間機ホルダの背面側に露出した状態で引き回されるので、その設置スペースを確保する必要がある。また、場合によっては、隣接の電子機器に電磁的な悪影響が及ばないようにケーブルをシールドする必要がある。
【００１５】
本発明では、第１ユニット内において給電用のケーブルが引き回されているので、台間機の背面側にケーブル引き回し用のスペースを確保する必要がない。また、ユニット内において電磁シールド構造を簡単に構成できる。
【００１６】
更に、本発明では、前記第１ユニットを前記台間機ホルダの下半部分に、上方に移動可能な状態で固定し、前記第２ユニットを前記台間機ホルダの上半部分に前後方向にスライド可能な状態で差し込み固定している。そして、前記第１ユニットを、前記第２ユニットによって上方に移動不可の状態に保持し、前記第２ユニットをロック機構により前記台間機ホルダから引き抜き不可の状態に保持しておき、前記第１ユニットを、上方に移動すると前記台間機ホルダに対する固定状態が解除されて、前記台間機ホルダから外れるように構成している。また、本発明において、前記第２ユニットが前記台間機ホルダに差し込み固定され、前記ロック機構により前記第２ユニットが前記台間機ホルダから引き抜き不可の状態になると、前記第１ユニットが前記台間機ホルダに対する固定状態になると共に、前記第１ユニットと前記第２ユニットが電気的に接続状態になるように構成することができる。
【００１７】
従って、本発明では、第１ユニットを台間機ホルダから外して点検などを行う必要がある場合には、第２ユニットを外した後に、第１ユニットに接続されている通信用ケーブルなどを外し、しかる後に第１ユニットを持ち上げると、台間機ホルダから当該第１ユニットを外すことができる。ボルトなどの締結用金具によって第１ユニットが台間機ホルダに固定されている場合に比べて、第１ユニットの保守点検作業を簡単に行うことができる。
【発明の効果】
【００１８】
本発明の遊技台用台間機では、台間機本体を、台間機制御器および台間機電源ユニットが搭載されている第１ユニットと、それ以外の部分が搭載されている第２ユニットに分け、第２ユニットのみを着脱可能な状態で台間機ホルダに差し込み固定している。したがって、台間機ホルダに外部通信用の大型の中継器を配置する必要が無く、第１および第２ユニットの間を接続するプラグイン方式のコネクタ接続機構を配置するだけでよい。したがって、本発明によれば、遊技台用台間機の小型化、低コスト化に有利である。また、機械的な駆動部分を備えた紙幣処理機などの処理機を、着脱可能な第２ユニットに搭載しているため、紙幣詰まりの回復作業、定期的な保守点検作業が簡単である。更に、第１ユニット内において給電用のケーブルが引き回されているので、台間機の背面側にケーブル引き回し用のスペースを確保する必要がない。また、ユニット内において電磁シールド構造を簡単に構成できる。加えて、第２ユニットを外した後に、第１ユニットに接続されている通信用ケーブルなどを外し、しかる後に第１ユニットを持ち上げると、台間機ホルダから当該第１ユニットが外れるため、ボルトなどの締結用金具によって第１ユニットが台間機ホルダに固定されている場合に比べて、第１ユニットの保守点検作業を簡単に行うことができる。
【発明を実施するための最良の形態】
【００１９】
以下に、図面を参照して本発明を適用した遊技台用台間機を備えた遊技システムを説明する。
【００２０】
(全体構成)
図１は本実施の形態に係る遊技システムを示す部分正面図である。本実施の形態に係る遊技システム１の基本的な構成は一般的なものであり、遊技島２を構成するための遊技島取付枠３と、この遊技島取付枠３に沿って取り付けられた複数の遊技ユニット４とを有している。各遊技ユニット４は、パチンコ台やスロット台などの遊技台５と、遊技台５の左側に隣接配置されている台間機６とを備えている。
【００２１】
(台間機)
図２(ａ)、(ｂ)および(ｃ)は台間機６の正面図、側面図および裏面図である。また、図３は台間機ホルダから台間機本体の上側の第２ユニットを引き抜いた状態を示す側面図であり、図４は台間機の内部構造を示す説明図である。
【００２２】
これらの図を参照して説明すると、台間機６は、台間機ホルダ１０と台間機本体２０から構成されており、台間機ホルダ１０は遊技島取付枠３に固定されている。台間機本体２０は、下側の第１ユニット３０と上側の第２ユニット５０を備えており、上側の第２ユニット５０は台間機ホルダ１０に対して前方から水平に差し込み可能であり、ロック機構７０によって台間機ホルダ１０から引き抜き不可の状態に保持されている。これに対して、下側の第１ユニット３０は上側の第２ユニット５０が引き抜かれた状態においてのみ、台間機ホルダ１０から取り外し可能な状態で、台間機ホルダ１０に固定されている。
【００２３】
台間機ホルダ１０は、垂直に延びる前方に開口しているコの字状断面の縦枠１１と、この縦枠１１の上端から前方に水平に延び、下方に開口しているコの字状断面の上側水平ガイド枠１２と、縦枠１１の下端から前方に水平に延び、上方に開口しているコの字状断面の下側水平ガイド枠１３を備えている。
【００２４】
台間機本体２０の下側の第１ユニット３０は、上下に細長い偏平な直方体形状をしたユニットケース３１を備え、この内部には、下側には台間機電源ユニット３２が配置され、上側には台間機制御器３３が配置されている。台間機電源ユニット３２には電源ケーブル３４を介して外部から電力が供給される。また、ユニットケース３１の内部において台間機電源ユニット３２と台間機制御器３３の間に配置した電源ケーブル３５を介して台間機制御器３３の側に駆動電力が供給されるようになっている。
【００２５】
ユニットケース３１の前面には下側前面パネル３６が取り付けられている。本例の下側前面パネル３６には、その上側から、液晶表示部３７、テンキー群３８、非接触型ＩＣカードの読み取り部３９が配置されている。これらの各部から引き出された配線３７ａ、３８ａ、３９ａが、それぞれ、台間機制御器３３の側の入出力端子に接続されている。
【００２６】
台間機制御器３３の背面には、通信ポート４０、４１、外部通信用のコネクタ４２などが配置されており、これらの各部は、台間機ホルダ１０の縦枠１１の背板部分１１ａに形成されている開口部１１ｂから背面側に露出している。これらの通信ポート４０、４１、コネクタ４２には外部から引き込まれた通信用のケーブル(図示せず)が接続される。
【００２７】
また、第１ユニット３０内の台間機制御器３３からは通信用および給電用のケーブル４５が引き出されている。このケーブル４５は、ユニットケース３１の上端面の後ろ側の縁から上方に引き出されている。台間機ホルダ１０における第１ユニット３０の真上の部位には、ケーブル接続用のホルダ側コネクタ４６が前向き姿勢で取り付けられている。
【００２８】
ここで、ユニットケース３１の背面における上下の端部には、その一方の側縁から背面側に向けてフック４３、４４が突出している。台間機ホルダ１０の縦枠１１の背板部分１１ａには、これらのフック４３、４４を通すことのできる長さのスリット１１ｃ、１１ｄが形成されている。第１ユニット３０は、一対のフック４３、４４をスリット１１ｃ、１１ｄに通した後に下方に落とすことにより、その下面が台間機ホルダ１０の下側水平ガイド枠１３に乗る。この状態では、フック４３、４４がスリット１１ｃ、１１ｄの下側縁部分に当り、第１ユニット３０を台間機ホルダ１０から外すことができない。
【００２９】
次に、上側の第２ユニット５０も、上下に細長い偏平なユニットケース５１を備えている。本例では、この内部に、上側から紙幣処理機５２およびＩＣコイン(コイン状ＩＣ記憶媒体)処理機５３が配置されている。下側のＩＣコイン処理機５３の制御基板５４からは、通信用および給電用のケーブル５５が引き出されている。また、制御基板５４と上側の紙幣処理機５２の制御基板５６の間も通信用および給電用のケーブル５７によって接続されている。
【００３０】
ここで、ユニットケース５１の背面側の下端部は前方に窪んでおり、この部分には、後向きの姿勢でユニット側コネクタ５８が取り付けられている。このユニット側コネクタ５８にケーブル５５が接続されている。
【００３１】
ユニットケース５１の前面には上側前面パネル５９が取り付けられており、この上側前面パネル５９には、その上側から紙幣入口６０、多機能ランプ６１、およびＩＣコイン入口６２およびＩＣコイン出口６３が配置されている。ＩＣコイン出口６３の下側部分は、第２ユニット５０を引き出すための引き手６４となっている。
【００３２】
第２ユニット５０は、台間機ホルダ１０の上側水平ガイド枠１２と、下側に装着されている第１ユニット３０の上端面に取り付けた水平ガイド枠４７の間に、前方から差し込み可能であり、これらに案内されて、その背面が台間機ホルダ１０の縦枠１１の背板部分１１ａに当る位置まで押し込むことが可能となっている。
【００３３】
台間機ホルダ１０の側には、ホルダ側コネクタ４６が前向き姿勢で取り付けられている。第２ユニット５０の背面に取り付けた後向きのユニット側コネクタ５８は、第２ユニット５０を台間機ホルダ１０に押し込むと、ホルダ側コネクタ４６に差し込まれる位置に配置されている。これらのコネクタ４６、５８によって、第２ユニット５０を差し込むと、コネクタ４６にコネクタ５８が差し込まれて接続状態になり、第２ユニット５０を引き抜くと、コネクタ５８がコネクタ４６から引き抜かれるプラグイン方式のコネクタ接続機構が構成されている。
【００３４】
次に、台間機ホルダ１０に差し込まれた第２ユニット５０を引き抜き不可の状態にロックしているロック機構７０を説明する。ロック機構７０は、台間機ホルダ１０の縦枠１１の背板部分１１ａの背面に固定したケース７１を備え、このケース７１には、上下方向にスライド可能な状態で前方に水平に突出しているフック７２が配置されている。フック７２は、引張りコイルばね７３によって常に下方に引張られている。フック７２にはケーブル７４の後端が接続されている。ケーブル７４はシース７５に覆われた状態で、台間機ホルダ１０の背面側からその上側を通って、前側の所定位置の所まで引き出されている。ケーブル７４を引くと、フック７２が上方にスライドし、ケーブル７４を離すと、フック７２は再び下側に戻る。
【００３５】
第２ユニット５０のユニットケース５１の背面には、フック７２を通すことのできるスリット７６が形成されている。第２ユニット５０を台間機ホルダ１０に差し込む際には、スリット７６の下端縁がフック７２を押し上げながら、第２ユニット５０が差し込まれる。第２ユニット５０が完全に差し込まれると、フック７２がスリット７６の下端縁を乗り越えて、その前側に移動し、引張りコイルばね７３のばね力によって下方にスライドする。これにより、第２ユニット５０が引き抜き不可の状態にロックされる。
【００３６】
このように構成した遊技台用台間機６では、その台間機本体２０が上下に分割され、上側の第２ユニット５０はケーブル７４を引くという簡単な操作によって、台間機ホルダ１０から前方に引き抜くことが可能であり、着脱可能な状態で台間機ホルダ１０に取り付けられている。これに対して、下側の第１ユニット３０を台間機ホルダ１０から外すためには、まず、上側の第２ユニット５０を引き抜き、次に、隣接配置されている遊技台の扉を開けて、当該第１ユニット３０の背面側に手を回して、電源ケーブル３４、通信用のケーブルなどを外し、しかる後に、当該第１ユニット３０を持ち上げて上下のフック４３、４４を台間機ホルダ１０の側から外す必要がある。したがって、実質的に台間機ホルダ１０に固定されている。
【００３７】
着脱式の上側の第２ユニット５０には、機械的な駆動部分を含む紙幣処理機５２およびＩＣコイン処理機５３が搭載されている。したがって、紙幣詰まりが発生した場合、ＩＣコイン詰まりが発生した場合などにおいては、その回復作業を簡単に行うことができる。
【００３８】
また、固定されている下側の第１ユニット３０には台間機電源ユニット３２および台間機制御器３３が搭載されている。固定されている台間機制御器３３の背面から直接に外部通信用のケーブルを引き出して外部機器に接続でき、台間機ホルダ１０に通信用の中継器を配置する必要がない。また、台間機制御器３３と上側の着脱式の第２ユニット５０との間の通信用および給電用のケーブル４５、５５の接続機構は、ホルダ側コネクタ４６とユニット側コネクタ５８からなる小型で単純な構造のもので済む。したがって、従来のように台間機ホルダに通信用の大きな中継器を配置してある場合に比べて、台間機６の小型化、低コスト化に有利である。
【００３９】
これに加えて、固定側の第１ユニット３０の内部に、台間機電源ユニット３２および台間機制御器３３が配置されているので、台間機電源ユニット３２から引き出される電源ケーブル３５を、ユニット外に引き出す必要がない。よって、電源ケーブル３５を引き回すためのスペースを台間機６の背面側に確保する必要がない。また、周辺の電子機器に電磁障害が発生しないように電源ケーブル３５などをシールドすることも簡単である。したがって、これらの点からも、台間機の小型化、低コスト化に有利である。
【００４０】
(その他の実施の形態)
上記の例では、第２ユニット５０に紙幣処理機５２およびＩＣコイン処理機５３が搭載されている。硬貨処理機、カード状記憶媒体処理機が備わっている場合には、これらを第２ユニット５０に搭載すればよい。換言すると、台間機６における機械的な駆動部分を含む部位を着脱式の第２ユニット５０の側に搭載すればよい。
【００４１】
また、上記の例では、第１ユニット３０を下側に配置してあるが、これを上側に配置し、第２ユニット５０を下側に配置することも可能である。この場合には、例えば、台間機ホルダ１０の縦枠１１の上下方向の中ほどの部位から前方に水平に延びるガイド枠を設け、このガイド枠と下側水平ガイド枠１３の間に第２ユニット５０をスライド可能な状態で差し込むようにすればよい。
【図面の簡単な説明】
【００４２】
【図１】本発明を適用した遊技システムを示す部分正面図である。
【図２】(ａ)、(ｂ)および(ｃ)は台間機の正面図、側面図および裏面図である。
【図３】台間機ホルダから台間機本体の上側の第２ユニットを引き抜いた状態を示す側面図である。
【図４】台間機の内部構造を示す説明図である。
【符号の説明】
【００４３】
１    遊技システム
２    遊技島
３    遊技島取付枠
４    遊技ユニット
５    遊技台
６    台間機
１０  台間機ホルダ
１１  縦枠
１１ａ  背板部分
１２  上側水平ガイド枠
１３  下側水平ガイド枠
２０  台間機本体
３０  第１ユニット
３２  台間機電源ユニット
３３  台間機制御器
３４  電源ケーブル
３５  電源ケーブル
４２  外部通信用のコネクタ
４３、４４  フック
４５  ケーブル
４６  ホルダ側コネクタ
５０  第２ユニット
５２  紙幣処理機
５３  ＩＣコイン処理機
５５  ケーブル
５８  ユニット側コネクタ
７０  ロック機構
【図１】
0005199549.tif 000002
【図２】
0005199549.tif 000003
【図３】
0005199549.tif 000004
【図４】
0005199549.tif 000005